(57)【要約】【解決手段】  使用されるときにシートベルトバックルを保持するように配置された磁気装置に対する取付け用のクランプ装置を有するシートベルトバックル保持装置であって:  このクランプ装置は、 i)締め金装置の作動時に磁気装置を使用し、かつ単に解放するときに、磁気装置を捕捉し、ii)カーシートカバーの下に位置し、または、カーシート、またはカーシートカバー内に恒久的に固定されるように配置される。【選択図】図１
2014511793.tif 000002
【特許請求の範囲】
【請求項１】
使用中であるときに、シートベルトバックルを保持するように配置された磁気装置に対する取付用のクランプ装置を有し、このクランプ装置は、ｉ）使用中であり、かつ締め金装置の作動時に磁気装置を解放するだけであり、かつｉｉ）カーシートカバーの下に位置するか、またはカーシートまたはカーシート内に恒久的に固定されるように配置されるシートベルトバックル保持装置。
【請求項２】
磁気装置を有し、この磁気装置は、シートベルトを保持するための磁石と、磁石に取付けられたピン部材を有し、クランプ装置はさらに磁気装置のピン部材を保持するように配置される請求項１記載のシートベルトバックル保持装置。 
【請求項３】
ピン部材は、クランプ装置内にピンを位置するための１つまたはそれ以上の凹所を有するピンを有する請求項２記載のシートベルトバックル保持装置。
【請求項４】
さらに磁気装置ハウジングであって、この磁気装置ハウジングは、ピン部材を受けるための凹所を有する請求項２記載のシートベルトバックル保持装置。
【請求項５】
凹所は、さらにピン部材のピンがクランプ装置に対する取付けのために通過することができる孔を有する請求項４記載のシートベルトバックル保持装置。
【請求項６】
磁気装置上に適合するように配置されたカバーをさらに有する請求項１記載のシートベルトバックル保持装置。
【請求項７】
使用中であるときに、クランプ装置はさらに、磁気装置と係合するピン部材を有し、このクランプ装置は、使用中であるときに、ピン部材を保持するように配置される 請求項１記載のシートベルトバックル保持装置。
【請求項８】
クランプ装置はさらに、磁気装置を保持するためにハウジング内に位置するハウジングおよび締め金装置を有する請求項1記載のシートベルトバックル保持装置。
【請求項９】
締め金装置は、磁気装置が捕捉され、かつ解放されるハウジング内に移動するように配置される請求項８記載のシートベルトバックル保持装置。
【請求項１０】
締め金装置は、２つの対向するスプリング装置を有し、それぞれのスプリング装置は、対向するスプリング装置の孔と移動可能に整列される孔を有する請求項８記載のシートベルトバックル保持装置。
【請求項１１】
締め金装置は、２つの対向するスプリング装置を有し、かつハウジングは、ハウジング孔を有し、それぞれのスプリング装置は、ハウジング孔と移動可能に整列される孔を有する請求項８記載のシートベルトバックル保持装置。
【請求項１２】
ハウジング孔は、磁気装置に取付けられたピンを受けるように配置される請求項１１記載のシートベルトバックル保持装置。
【請求項１３】
カーシートまたはカーシートカバー上での使用に適した請求項１記載のシートベルトバックル保持装置。
【請求項１４】
クランプ装置および磁気装置を有し、このクランプ装置は、使用中であって、締め金装置の作動時に磁気装置を解放するだけのときに磁気装置を物理的にクランプするように配置され、さらに使用中であってシートベルトバックルを磁気的に保持するように配置され、クランプ装置は、さらに、カーシートカバーの下に位置するように配置され、またはカーシートまたはカーシートカバー内に恒久的に固定されるシートベルトバックル保持装置。
【請求項１５】
クランプ装置は、シートカバーの頂部上に磁気装置を固定するためにシートカバーの下に置かれるように配置される請求項１４のシートベルトバックル保持装置。
【請求項１６】
シートベルトバックル保持装置は、使用中であるときに、シートベルトバックルを保持するように配置された磁気装置に対する取付用のクランプ装置を有し、クランプ装置は、カーシート内に恒久的に固定され、かつ使用中であるときに磁気装置を捕捉し、さらに、締め金装置の作動時に磁気装置を解放するだけであるシートベルトバックル保持装置を有するカーシート。
【請求項１７】
シートベルトバックル保持装置は、使用中であるときに、シートベルトバックルを保持するように配置された磁気装置に対する取付用のクランプ装置を有し、クランプ装置は、カーシートカバー内に恒久的に固定され、かつ、使用中であるときに、磁気装置を捕捉するように配置され、さらに、締め金装置の作動時に磁気装置を解放するだけであるシートベルトバックル保持装置を有するカーシートカバー。
【請求項１８】
シートベルトバックル保持装置は、使用中であるときに、金属板がカーシートカバー内に恒久的に固定される磁気装置を有するシートベルトバックルに対して、固定用の金属板を有するシートベルトバックル保持装置を有するカーシート。
【請求項１９】
シートベルトバックル保持装置は、使用中であるときに、金属板がカーシートカバー内に恒久的に固定される磁気装置を有するシートベルトバックルに対して、固定用の金属板を有するシートベルトバックル保持装置を有するカーシートカバー。
【請求項２０】
磁気装置は、カーシート内に人を固定するために使用されるシートベルトバックルを配置して位置するその中に恒久的に固定される少なくとも１つの磁気装置を有するカーシート。
【請求項２１】
カーシートは、子どものカーシートである請求項２０記載のカーシート。
【請求項２２】
磁気装置は、カーシート内に埋め込まれる請求項２０のカーシート。
【請求項２３】
磁気装置は、カーシートに成型される請求項２０記載のカーシート。
【請求項２４】
１つまたはそれ以上の磁気装置は、カーシートカバーが、カーシートに付けられていないときには、目に見え、さらに、カーシートは、カーシートカバーを取付けるために適応される請求項２２記載のカーシート。
【請求項２５】
１つまたはそれ以上の磁気装置が、１つまたそれ以上のカーシートのアームおよびシート部分に位置する請求項２０記載のカーシート。
【請求項２６】
磁気装置は、カーシートカバーによってカバーされたカーシート内に人を固定するために使用されるシートベルトバックルを保持するために配置されて位置する、恒久的に取付けられたカーシートカバー。
【請求項２７】
カーシートは、子どものカーシートである請求項２６記載のカーシートカバー。
【請求項２８】
磁気装置は、カーシートカバーに縫い込まれる請求項２６記載のカーシートカバー。
【請求項２９】
磁気装置は、カーシートカバー上に接着される 請求項２６記載のカーシートカバー。
【請求項３０】
１つまたはそれ以上の磁気装置が、カーシートカバーの下部、または上部表面に位置する請求項２６記載のシートカバー。
【請求項３１】
添付図面に関してここにほぼ同様に記述したような請求項２０のカーシート。
【請求項３２】
添付図面に関してここにほぼ同様に記述したような請求項２６のカーシートカバー。
【請求項３３】
添付図面に関してここにほぼ同様に記述したようなシートベルトバックル保持装置。
【発明の詳細な説明】
【技術分野】
【０００１】
この発明は、シートベルト保持装置に関する。
【０００２】
この発明は、特に、シートベルト保持装置、または磁気装置を有するカーシート、またはカーシートカバーと同様に、カーシート、またはカーシートカバーに対する取付けのためのシートベルト保持装置に関する。
【背景技術】
【０００３】
乳幼児のカーシートは、車両で移動するときに幼児が適切な装置の中に安全に拘束されることを保証するために、車両内で使用される。
【０００４】
しかしながら、時々は、同時に、適切な留め金内にシートベルトバックルを位置して挿入する間に、子どもをシートに座らせようとするときには、不便であることがある。
【０００５】
この問題は、子どもがシートに置かれているときに、主としてカーシート上に置かれているかれらによって近づき難くなっており、シートベルトバックルによってそれらの真下にシートベルトバックルを備えたシートに置かれている子どもに帰着する。代りに、シートベルトバックルは、シート自体の後ろに、またはそのシート自体の真下に移動したり、または、落ちて、その結果、シート内の子どもを固定するために、バックルをとり出そうとする際に、成人の問題を引き起こすことがある。この問題は、子どもが、特に幼く、それに置かれている間にシートから出ようとする場合には、または、大人がシートベルトを固定しようとする間に自由な腕を有するだけである場合には、もちろん悪化する。
【０００６】
日本特許公開２００１−１５８２６３に記述された先行の既知装置は、接着テープによってカーシートに取付けられている磁気装置を利用する。しかしながら、この装置は、それと関係する特別の安全問題を有する。例えば、記述された装置は、シートベルトの金属バックルと磁気装置の金属表面との間の磁気吸引力を提供する。かれらの皮膚が２表面間に挟まれると、この２つの金属表面間の吸引力は、小さな子どもを傷つける恐れがある。さらなる例として、それが接着テープによって取付けられているだけのために、記述された装置は、子どもによって椅子から引き離されることがある。装置は、その後、車両の内部の子どもによって投げられることがあり得、それは潜在的に非常に危険な状況に帰着することがあり得る。
【０００７】
さらに、２００１−１５８２６３に記述された装置は、接着テープがそれほど粘着性でなくなり、それにより、シートから容易に離れている装置に帰着する前に、単にカーシート上の1つの位置に対して取付けることができることがあり得る。また、接着テープの使用は、その有効性を調節するために装置の位置を変えるための機会が制限されることを意味する。
【発明の概要】
【０００８】
この発明の目的は、カーシート内の子どもを固定する過程で支援するためのより便利な装置を提供することを目的とする。
【０００９】
この発明のさらなる目的は、シートベルトバックルを保持するためのより安全な取付機構を提供することである。
【００１０】
それぞれの目的は、少なくとも公衆に有用な選択を提供する目的で分離して読まれるべきである。
【００１１】
この発明は、前に言及された問題のうちのいくつか、または、すべてに打ち勝つか、または、少なくとも緩和することを意図する。
【００１２】
背景技術の議論(あらゆる潜在的な先行技術を有する)は、共通の一般知識の許可として採ることはできない。
【００１３】
用語「有する（comprise）」、「有する（comprises）」および「有する（comprising）」は、区域を変えることで（under varying jurisdictions）、排他的、または、包括的な意味のいずれかで判断される。この明細書の目的のために、そして、その他の注意がないならば、これらの用語は、包括的な意味を有するように意図され、−すなわち、それらは、リストされた使用が、直接に、参照するが、しかし選択的にまた、他の特定されていない部品または要素の包含を除いて、部品の包含を意味するために採られる。
【００１４】
1つの態様によれば、この発明は、使用中であるときに、シートベルトバックルを保持するように配置された磁気装置に対する取付用のクランプ装置を有するシートベルトバックル保持装置を提供し、クランプ装置は、次のように配置される:
i）使用中であるときに磁気装置を捕捉し、かつ、締め金装置の作動時に単に磁気装置を解放する、および、ii）カーシートカバーの下に位置するか、または、カーシートまたはカーシートカバー内に恒久的に固定される。
【００１５】
さらなる態様によれば、この発明は、クランプ装置および磁気装置を有するシートベルトバックル保持装置を提供し、クランプ装置は、使用中であるときに、物理的に磁気装置をクランプするように配置され、かつ、締め金装置の作動時に磁気装置を解放するだけであり、さらに、磁気装置は、使用中であるときに、シートベルトバックルを磁気的に保持するように配置され、クランプ装置は、さらに、カーシートカバーの下に位置するように配置されるか、または、カーシートまたはカーシートカバー内に恒久的に取付けられる。
【００１６】
またさらなる態様によれば、この発明は、シートベルトバックル保持装置を提供し、シートベルトバックル保持装置は、使用中であるときに、シートベルトバックルを保持するように配置された磁気装置に対する取付用のクランプ装置を有し、クランプ装置は、カーシート内に恒久的に取付けられ、かつ使用中であるときに、磁気装置を捕捉するように配置され、締め金装置の作動時に磁気装置を解放するだけである。
【００１７】
またさらなる態様によれば、この発明は、シートベルトバックル保持装置を有するカーシートカバーを提供し、シートベルトバックル保持装置は、使用中であるシートベルトバックルを保持するように配置された磁気装置に対する取付け用のクランプ装置を有し、クランプ装置は、カーシートカバー内に恒久的に固定され、かつ、使用中であるときに、磁気装置を捕捉するように、さらに、締め金装置の作動時に単に磁気装置を解放するように配置される。
【００１８】
またさらなる態様によれば、この発明は、シートベルトバックル保持装置を有するカーシートを提供し、シートベルトバックル保持装置は、金属板がカーシートカバー内に恒久的に取付けられる磁気装置を有するシートベルトバックルに対する取付け用の金属板を有する。
【００１９】
またさらなる態様によれば、この発明は、シートベルトバックル保持装置を有するカーシートカバーを提供し、シートベルトバックル保持装置は、使用中であるときに、金属板がカーシートカバー内に恒久的に取付けられる磁気装置を有するシートベルトバックルに対する取付け用の金属板を有する。
【００２０】
またさらなる態様によれば、この発明は、その中に恒久的に固定された少なくとも１つの磁気装置を有するカーシートを提供し、磁気装置は、シートベルトを保持するために整えられ捜し出されるか、  カーシート内に人を固定するために使用されるシートベルトバックルを保持するように配置されて位置される。
【００２１】
またさらなる態様によれば、この発明は、それに恒久的に取付けられた少なくとも１つの磁気装置を有するカーシートカバーを提供し、磁気装置は、カーシートカバーによってカバーされたカーシート内に人を固定するために使用されるシートベルトバックルを保持するように、配置されて位置される。
【００２２】
今度はこの発明の実施例が、添付図面に関して例としてのみ記述される:
【図面の簡単な説明】
【００２３】
【図１】この発明の実施例によるシートベルトバックル保持装置の頂部の斜視図を示す;
【図２】この発明の実施例によるシートベルトバックル保持装置の底部斜視図を示す;
【図３】この発明の実施例によるシートベルトバックル保持装置の一部分解図を示す;
【図４】この発明の実施例によるシートベルトバックル保持装置の分解図を示す;
【図５】この発明の実施例によるシートベルトバックル保持装置の側面図を示す;
【図６】この発明の実施例によるシートベルトバックル保持装置の断面図を示す;
【図７】この発明の実施例によるカーシート上で使用されるシートベルトバックル保持装置を示す;
【発明の詳細な説明】
【００２４】
第1の実施例
図1は、この実施例によるシートベルトバックル保持装置の頂部の斜視図を示す。
【００２５】
ドーム形状の磁気装置1が示される。この図における磁気装置は、シートベルトバックル、または磁石を引っ掻かないようにするために磁石上に置かれたシリコンカバーを有する。代案として、カバーは、PVC、ポリウレタン、または繊維材料から作ることができる。
【００２６】
このカバーは、金属表面に対する金属の磁気的吸引力を制限し、したがって、２つの表面間でかれらの皮膚が捕えられる子どもに対するあらゆる傷害をも回避することによって、増加した安全性を提供する。
【００２７】
さらに、シリコンカバーは、カーシート内にしっかりとシートベルトを着けられている間に子どもを気を紛らわせて楽しませるために、絵、イメージ、またはその類の表面デザインを有することができる。
【００２８】
このカバーは、さらに、それが磁石の金属をカバーし、したがって、日なたに置かれたときに、磁石が熱くなることを阻止するという利点を備える。このことは、子ども、または実際には親が、熱い磁石によって火傷するのを防ぐ。さらに、このカバーは、子どもの親によって容易に取り除かれ、さらに清潔にすることができる。
【００２９】
このシリコンカバーは、その真下の磁石の磁界が、カバーを過ぎて延在しないほどには厚くないことは、理解されよう。例えば、シリコンカバーは、２および３mmの間の厚さを有する。しかしながら、カバーの厚さは、磁石とシートベルトバックルとの間の磁気吸引力に依存してこれより大きいか、小さいことがあることは理解されよう。例えば、シリコンカバーは、４mm、または、わずかにより強い磁石には、より厚いか、または、より弱い磁石には、２mm未満であることができる。
【００３０】
図2は、シートベルトバックル保持装置の底部斜視図を示している。図2において見ることができるように、クランプ装置２は、以下に、より詳細に説明されるように、磁気装置の下側に取付くように配置される。
【００３１】
図３は、シートベルトバックル保持装置の一部分解図を示している。この図において、シリコンカバー４は、磁石５から分離して示される。磁石は、本体ハウジング６内に収容される。ハウジング６は、磁石５を受けるためにプラスチック材料から形成され、または、モールドされる。
【００３２】
クランプ装置３は、以下に、より詳細に説明されるようなピン部材を受けるために孔３０１を有する。クランプ装置内の作動部材１０は、クランプ装置がピン部材上にクランプすることを可能にする。作動部材１０は、凹所３０１をそれぞれ開いたり閉じたりするために、ユーザーによって押下げられたり、解放されることができる。
【００３３】
図４は、シートベルトバックル保持装置の分解図を示している。
【００３４】
図４において見ることができるように、シリコンカバー４は、磁石５およびハウジング６を覆って配置される。ピン部材７は、ハウジング６内に配置される。ピン部材は鋼から形成され、ハウジング６内の対応する六角形の凹所６０１内に配置される六角形の形作られたトップ表面７０１を有する。ピンの形をしている突出部７０３は、ピン部材７の六角形の形作られたトップ表面７０１の中心から垂直に延びている。
【００３５】
ピン部材は、異なる金属、または硬質の耐久性プラスチックのようなあらゆる他の適切な材料から形成されることができることは理解されよう。ピン部材のトップ表面が、六角形の形状以外の他の形状を採用することがあることはさらに理解されよう。
【００３６】
ピン部材７のピン７０３は、六角形の凹所６０３の中心におけるハウジング６の低部表面を通り抜ける孔６０３を貫通する。したがって、ピン部材7が凹所６０１内に位置するときに、それは回転することができない。
【００３７】
クランプ装置３は、上部ケーシング８および下部ケーシング９を有し、それは２つのケーシングを一緒に押圧するように力を加えることによって、一緒に留まる。すなわち、この実施例においては、上部および下部ケーシングは、プレス嵌め機構によって取付けられる。代案として、上部および下部ケーシングは、一緒に、プラスチック溶接、または接着されることは理解されよう。上部ケーシング８は、ピン部材７のピン７０３を受けるための孔３０１を有する。
【００３８】
２つのスプリング部品の形で、作動部材１０は、クランプ装置ケーシング（８、９）内に位置される。
【００３９】
スプリング部品は、それぞれ、上部ケーシングにおける対応する対向する凹所（図示せず）と同様に、下部ケーシング内の凹所９０１内に位置する。それぞれのスプリング部品は、Ｔ−形のステンレス鋼部品から形成される。代案として、スプリング部品は、強力な柔軟性プラスチック材料から製造されることができる。Ｔ−形の部品は、「T」形の頂部に沿って３つの部分を有する;中央部分、左部分、および右部分である。左および右部分は、ほぼ５°の角度で中央部分から離れて曲がっている。曲がり角度は、５°以上、または以下に変えることができること、しかしながら、左および右の曲がりは、使用中であるときに、スプリング部品がユーザーによって曲げられることがさらに可能である間に、それぞれのスプリング部品が、凹所９０１内に位置することができることは、理解されよう。
【００４０】
「Ｔ」形の部品は、さらに、スプリング部品が、凹所９０１内に位置されるときに、それが、ケーシングの上部の、および下部の表面と同一の平面にあるように、中央部分から離れてほぼ９０°の角度で曲がっている直立した部分を有する。  
左および右部分は、上部、および下部ケーシングの凹所９０１内に位置するウィングを形成し、その一方で、中央部分に圧力を加えると、直立した部分がケーシングの中心に向かって移動するように、中央部分は、凹所９０１内に移動可能に位置される。
【００４１】
２つのスプリング部品１０が、それらが相互に対向するように、凹所９０１内に位置されるので、スプリング部品の直立した部分は、オーバーラップする。各スプリング部品１０の直立した部分内には、孔１００１が位置される。
【００４２】
スプリング部品は、中央部分を相互に向かって押圧してユーザーによって移動されるので、組み立てられるときには、それらが充分な円形の凹所を設けて、完全にオーバーラップするまで、その孔は、徐々にオーバーラップを開始する。スプリングが解放されるので、それらだけが、部分的にオーバーラップするように、各スプリング部品における孔は、相互から離れて移動する。このことは、  ピン部材のピンのための留め金機構を提供する。
【００４３】
したがって、ピン部材のピンは、ユーザーが、作動部材１０を移動、または作動しなければならないということなしに、ユーザーによって、上部ケーシング８内における孔３０１を通して、かつ、スプリング部材１０の孔１００１を通して押圧されることができる。すなわち、ピンの外形は、ピンが、以下に説明されるように、ピンがロックされた位置に到達するまで、スプリング部材１０のオーバーラップした孔１００１の部分的な開口を通して通過することができ、かつ、孔を通して摺動することができる。
【００４４】
スプリング部材からピンを解放するために、ユーザーは、スプリング部材におけるオーバーラップする孔１００１を開き、かつ、ピンがクランプ装置から解放されることを可能にするように、スプリング部材の中央部分を一緒に押圧する。
【００４５】
図5は、シートベルトバックル保持装置の側面図を示している。ピン部材におけるピンの表面が、より明確に示される。この実施例によるピン表面は、段付きの外形、すなわち、ピンの表面の周囲に位置した環状の凹所を有する。この実施例によれば、ピンは、それがカーシートカバーに対して３段階のうちの1段階に位置することを可能にするように３つの凹所を有する。代りに、凹所の外形および数を変えることによって、ピンのための１つの、２つの、または３つ以上のすわり位置があることができることは理解されよう。さらに、ピン表面の他の外形が、思い描かれることができることは、理解されよう。例えば、スプリング部材が、ピンを留めて保持することを可能にするように、ねじ山がピン上に設けられることができる。
【００４６】
したがって、力がスプリング部材の中央部分にユーザーによって加えられずに、ピンは、ピンの段付きの表面がオーバーラップするスプリング部材孔１００１を通して通過するように捕らえられる。すなわち、スプリング部材における孔の周囲の表面端縁は、ピンが引込められることができないので、ピン表面の段付きの外形に対して静止する。しかしながら、力がユーザーによって中央部分に加えられるときには、スプリング部材孔は、整列して、充分なスペースを提供して、ピンの段付きの外形を解放し、かつピンが、スプリング部材孔を通して、かつ、クランプ装置２から通過できる。
【００４７】
図６は、シートベルトバックル保持装置の横断面図を示している。
【００４８】
この横断面図は、カーシートカバー１１を示しており、それは、子供用カーシートの一部を形成することができる。この図において見ることができるように、磁気装置１の一部をすべて形成する磁石５、ハウジング６、シリコンカバー４、および、ピン部材７のトップ表面７０１は、外部に、または、カーシートカバー１１の頂部に位置される。ピン部材７のピン部分は、カーシートカバー１１を通して通過し、さらに、クランプ装置３の上部ケーシング８の孔を通して通過し、ピンは、スプリング部材１０によって所定の位置に保持される。
【００４９】
このことは、磁気装置１をカーシートカバー１１に固定するための改善された機構を提供する。磁気装置は、ユーザーが作動部材１０を見つけて、かつ作動することなしには、容易に取り除くことができない。
【００５０】
図７は、カーシート１２において使用される上述したシートベルトバックル保持装置を示している。この図において、金属シートベルトバックル（１３、１４）は、シート１２に確実に取付けられている磁気装置１の頂部に配置される。この例において、第１の磁気装置は、シートの左アームに取付けられており、第２の磁気装置は、シートの右アームに取付けられており、さらに、第３の磁気装置は、シートの着座領域の正面部分に取付けられている。磁気装置は、それぞれ、シートカバーの下に位置した個別のクランプ装置を有する。クランプ装置が、カーシートカバーに、恒久的に、または半恒久的に取付けられることができることは理解されよう。代りに、クランプ装置は、カーシートカバーに縫い込まれることができる。
【００５１】
このように、シートベルト装置の３つの部品は、ユーザーがバックルを同時に移動させることと対抗する必要のないシート内に彼らの子どもを置くことを可能にする、より便利な場所に置くか、または位置することができる。さらに、子どもが成長し、シートベルトがより大きな子どもを収容するように調節されるので、磁石は、装置の有効性を改善するように容易に移動され、または、位置が変えられる。
【００５２】
クランプ装置は、カーシートカバーの真下に位置されるので、それはカーシート内の子どもには見えず、したがって、彼らが、クランプ装置を磁気装置から解放することは、とてもありそうにない。さらに、合理的なレベルの物理的な調整、機敏性、および強靭性は、幼い子どもにとって、クランプから磁気装置を操作したり、さらには解放することを難しくする磁気装置からクランプ装置を解放することを要求される。
【００５３】
クランプ装置が、使用中であるときに、シートまたはシートカバーに、恒久的に、または、半恒久的に固定されるように配置されることができることは理解されよう。さらに、クランプ装置が、非磁性の、または磁性の材料のいずれかであることができることは、理解されよう。
【００５４】
第2の実施例
この第2の実施例によれば、カーシート、またはカーシートカバーは、ユーザーがこれらの位置にカーシートベルトバックルを位置することを可能にする任意の数の好都合な位置においてそれに恒久的に取付けられた磁石を有して形成されることは理解されよう。
【００５５】
代りに、上述されたようなクランプ装置は、成形、縫製、接着、または、あらゆる他の適切な取付方法によって、カーシートまたはカーシートカバー内に恒久的に固定されることができる。磁気装置は、その後、上述されたような機能を実行するように、クランプ装置に取付けられることができる。クランプ装置の作動部材は、それらをユーザーが、クランプ装置に取付けられた磁気装置を解放することを可能にするためにアクセス可能にするように修正されることができる。
【００５６】
この第２の実施例によれば、磁石は、図７に示されるそれと類似の方法でカーシートベルトバックルを捕捉するために、カーシートのアーム上の、およびまたは、カーシートの着座部分上のカーシート内に成型することができる。例えば、カーシートは、プラスチックであるか、または、子どもと一緒に使用するために特別に設計されたカーシートを形成することができる。カーシート内に磁石を成型することによって、磁石は、カーシート内に恒久的に固定されるようになる。このことは、磁石が取り除かれたり、潜在的な危険を引き起こすことができないことを保証する。磁石は、カーシートを眺めるときに、磁石の少なくとも一部分が目に見えるように、カーシート内に嵌め込まれることができる。例えば、磁石の頂部部分が、最初は目に見えることができるが、その後は、カーシートカバーによってカバーすることができる。シートベルトバックルは、その後、磁石に引きつけられて、カーシートカバーを経由して磁石に取付けられる。
【００５７】
代りに、磁石は、カーシート内に完全に埋め込まれることができる。磁石の深さは、それによって、磁界が適所にカーシートベルトバックルを保持するのに充分なカーシートの表面を貫通し浸透しない深さを超過してはならないことが理解されよう。
【００５８】
さらなる例として、磁石は、カバー上の所望の位置に磁石を成型するか、縫製するか、接着するか（または、あらゆる他の適切な取付け機構を使用して、）のような任意の適切な手段によって、カーシートカバーに恒久的に固定されることができる。例えば、磁石は、それがカーシートカバーの下側、すなわち、カーシートと接しているカバーとの側で、ユーザーの視野外に位置されるように、カバーに取付けられることができる。しかしながら、代案として、磁石が、カーシートカバーの上部の表面上に取付けられ、または、位置されることができることは理解されよう。カバーがシートにかけられた後、カバー上の磁石の位置は、カーシートのシート部分またはアームに関係することができる。
【００５９】
さらなる実施例
ここに記述されたこの発明の実施例は、例としてのみであり、様々な変更および修正が発明の範囲から逸脱されずになされることができることが理解されよう。
【００６０】
磁石、ハウジング、ピン部材、およびシリコンカバーを有する磁気装置部品の構成は、相当に変わることができることが理解されよう。例えば、様々な部品の、およびそれらがどのように適合するかの形は、ユーザーの要求に適合するように修正されることができる。
【００６１】
さらに、上述した磁気装置は、単一の部品から形成されることができることは理解されよう。すなわち、磁石は、その低部表面から突出するピンを有して形成されることができ、そこでは、そのピンは、その後、クランプ装置内に位置され、ロックされることができる。代りに、単一の部品として形成された磁石およびピン部材は、ハウジング内に位置することができる。シリコンカバーは、オプションである。
【００６２】
さらに、他のクランプ装置およびクランプ方法が、確実に磁石または磁気装置上に保持するために、使用されることができることは、理解されよう。例えば、押圧力は、適所にピンを保持するために、各側からのピン機構のピンの外部表面に加えることができる。代りに、移動可能なクリップは、所望の位置にピンを固定するために所定の位置に押圧され、かつロックされることができる。
【００６３】
さらに、装置の磁気部品がシートベルトバックルに恒久的に、または半恒久的に固定されることができることは理解されよう。代りに、バックル、またはシートベルトバックル自体の近くのシートベルトの少なくとも一部、または部分が、磁性材料から形成されることができるか、または磁気部品に取付けることができる。
【００６４】
取付けポイントは、磁気吸引力を通してシートベルト、またはバックルを保持するために、様々な好都合なポイントでカーシート、またはカーシートカバーに恒久的に、または半恒久的に固定されることができる。
【００６５】
例えば、取付けポイントは、恒久的に、または半恒久的にカーシートに取付けられる1つ、またはそれ以上の金属板であることができる。この金属板は、カーシート内に成型されることができる。
【００６６】
さらなる例として、取付けポイントは、恒久的に、または半恒久的にカーシートカバーに取付けられる1つ、またはそれ以上の金属板であることができる。その金属板は、カーシートカバーに縫い込まれることができる。
【図１】
2014511793.tif 000003
【図２】
2014511793.tif 000004
【図３】
2014511793.tif 000005
【図４】
2014511793.tif 000006
【図５】
2014511793.tif 000007
【図６】
2014511793.tif 000008
【図７】
2014511793.tif 000009
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
使用中であるときに、シートベルトバックルを保持するように配置された磁気装置に対する取付用のクランプ装置を有し、このクランプ装置は、ｉ）使用中であり、かつ締め金装置の作動時に磁気装置を解放するだけであり、かつｉｉ）カーシートカバーの下に位置するか、またはカーシートまたはカーシート内に恒久的に固定されるように配置されるシートベルトバックル保持装置。
【請求項２】
磁気装置を有し、この磁気装置は、シートベルトバックルを保持するための磁石と、磁石に取付けられたピン部材を有し、クランプ装置はさらに磁気装置のピン部材を保持するように配置される請求項１記載のシートベルトバックル保持装置。 
【請求項３】
ピン部材は、クランプ装置内にピンを位置するための１つまたはそれ以上の凹所を有するピンを有する請求項２記載のシートベルトバックル保持装置。
【請求項４】
さらに磁気装置ハウジングであって、この磁気装置ハウジングは、ピン部材を受けるための凹所を有する請求項２記載のシートベルトバックル保持装置。
【請求項５】
凹所は、さらにピン部材のピンがクランプ装置に対する取付けのために通過することができる孔を有する請求項４記載のシートベルトバックル保持装置。
【請求項６】
磁気装置上に適合するように配置されたカバーをさらに有する請求項１記載のシートベルトバックル保持装置。
【請求項７】
使用中であるときに、クランプ装置はさらに、磁気装置と係合するピン部材を有し、このクランプ装置は、使用中であるときに、ピン部材を保持するように配置される 請求項１記載のシートベルトバックル保持装置。
【請求項８】
クランプ装置はさらに、ハウジングを有し、締め金装置は、磁気装置を保持するためにハウジング内に位置する請求項1記載のシートベルトバックル保持装置。
【請求項９】
締め金装置は、磁気装置が捕捉され、かつ解放されるハウジング内に移動するように配置される請求項８記載のシートベルトバックル保持装置。
【請求項１０】
締め金装置は、２つの対向するスプリング装置を有し、それぞれのスプリング装置は、対向するスプリング装置の孔と移動可能に整列される孔を有する請求項８記載のシートベルトバックル保持装置。
【請求項１１】
締め金装置は、２つの対向するスプリング装置を有し、かつハウジングは、ハウジング孔を有し、それぞれのスプリング装置は、ハウジング孔と移動可能に整列される孔を有する請求項８記載のシートベルトバックル保持装置。
【請求項１２】
ハウジング孔は、磁気装置に取付けられたピンを受けるように配置される請求項１１記載のシートベルトバックル保持装置。
【請求項１３】
カーシートまたはカーシートカバー上での使用に適した請求項１記載のシートベルトバックル保持装置。
【請求項１４】
クランプ装置および磁気装置を有し、このクランプ装置は、使用中であって、締め金装置の作動時に磁気装置を解放するだけのときに磁気装置を物理的にクランプするように配置され、さらに使用中であってシートベルトバックルを磁気的に保持するように配置され、クランプ装置は、さらに、カーシートカバーの下に位置するように配置され、またはカーシートまたはカーシートカバー内に恒久的に固定されるシートベルトバックル保持装置。
【請求項１５】
クランプ装置は、シートカバーの頂部上に磁気装置を固定するためにシートカバーの下に置かれるように配置される請求項１４のシートベルトバックル保持装置。
【請求項１６】
シートベルトバックル保持装置は、使用中であるときに、シートベルトバックルを保持するように配置された磁気装置に対する取付用のクランプ装置を有し、クランプ装置は、カーシート内に恒久的に固定され、かつ使用中であるときに磁気装置を捕捉し、さらに、締め金装置の作動時に磁気装置を解放するだけであるシートベルトバックル保持装置を有するカーシート。
【請求項１７】
シートベルトバックル保持装置は、使用中であるときに、シートベルトバックルを保持するように配置された磁気装置に対する取付用のクランプ装置を有し、クランプ装置は、カーシートカバー内に恒久的に固定され、かつ、使用中であるときに、磁気装置を捕捉するように配置され、さらに、締め金装置の作動時に磁気装置を解放するだけであるシートベルトバックル保持装置を有するカーシートカバー。
【手続補正２】
【補正対象書類名】明細書
【補正対象項目名】００３６
【補正方法】変更
【補正の内容】
【００３６】
ピン部材７のピン７０３は、六角形の凹所６０１の中心におけるハウジング６の低部表面を通り抜ける孔６０３を貫通する。したがって、ピン部材7が凹所６０１内に位置するときに、それは回転することができない。
【手続補正３】
【補正対象書類名】図面
【補正対象項目名】図３
【補正方法】変更
【補正の内容】
【図３】
2014511793.tif 000010
【手続補正４】
【補正対象書類名】図面
【補正対象項目名】図４
【補正方法】変更
【補正の内容】
【図４】
2014511793.tif 000011
【手続補正５】
【補正対象書類名】図面
【補正対象項目名】図６
【補正方法】変更
【補正の内容】
【図６】
2014511793.tif 000012
【国際調査報告】
2014511793.tif 000013
2014511793.tif 000014
2014511793.tif 000015
2014511793.tif 000016